(57)【要約】  【課題】簡易に市場に供することができ、ユーザーサイドでも簡単に組み立ててペン等を的確に保持させるトレーを構成できるようにした壁掛けカレンダーを提供する。  【解決手段】紙素材からなり壁に掛け止めされる台紙Ｗ１と、この台紙Ｗ１の本体部分２に設けられるカレンダー部Ｗ２とを具備し、カレンダー部Ｗ２の下方位置に、台紙Ｗ１の一部を利用してトレー１を形成したものである。そして、トレー１を、台紙Ｗ１の本体部分２に連続する後壁部１１と、この後壁部１１の一部に設定した略鉛直な折罫ｆ、ｇに沿って折り曲げて形成される左右の側壁部１５とから構成し、かつ後壁部１１に底壁部１２及び前壁部１３を連設して、底壁部１２及び前壁部１３を側壁部１５に支持させることにより、左右の側壁部１５、前壁部１３、後壁部１１及び底壁部１２によって包囲される部位に上方に開放された収納空間１Ａを形成することとした。  【選択図】図４
2006001061.tif 000002
【特許請求の範囲】
【請求項１】
紙素材からなり壁に掛け止めされる台紙と、この台紙の本体部分に設けられるカレンダー部とを具備してなり、カレンダー部の下方位置に、台紙の一部を利用してトレーを形成したものであって、
前記トレーが、台紙の本体部分に連続する後壁部と、この後壁部の一部に設定した略鉛直な折罫に沿って折り曲げて形成される左右の側壁部とを具備し、前記後壁部に底壁部及び前壁部を連設して、当該底壁部及び前壁部を前記側壁部に支持させることにより、左右の側壁部、前壁部、後壁部及び底壁部によって包囲される部位に上方に開放された収納空間を形成していることを特徴とする壁掛けカレンダー。
【請求項２】
前壁部を山折りに折り返すことにより外壁及び内壁からなる二重構造として、その隙間に、側壁部の前端に略鉛直な折罫に沿って折り曲げて連設した前係止片を挿入している請求項１記載の壁掛けカレンダー。
【請求項３】
前壁部の外壁と底壁部との境界部若しくはその近傍にスリットを設け、前壁部の内壁の下端側に形成した差込片を前記スリットに差し込んでいる請求項２記載の壁掛けカレンダー。
【請求項４】
前壁部の内壁の下端に底当接片を折り曲げて連設し、この底当接片を底壁部に重合させるようにしたものであって、差込片が内壁と底当接片との境界部若しくはその近傍から切り起こしたものである請求項３記載の壁掛けカレンダー。
【請求項５】
側壁部の上縁が、後上方に向かって傾斜している請求項１〜４記載の壁掛けカレンダー。
【請求項６】
トレーを接着剤やステープル等の止着具を用いることなく組立てている請求項１〜５記載の壁掛けカレンダー。
【発明の詳細な説明】
【技術分野】
【０００１】
本発明は、簡易に構成できてペン等を的確に保持できるトレーを備えた壁掛けカレンダーに関するものである。
【背景技術】
【０００２】
従来より、壁掛けカレンダーとして、種々のものが開発され利用に供されている。そして、一般にカレンダーは、ペン等で予定を書き込むことが多いことから、例えば特許文献１に示されるように、紙素材からなり壁に掛け止めされる台紙と、この台紙の本体部分に設けられるカレンダー部とを具備し、カレンダー部の下方位置に、台紙の一部を利用してトレーを形成したもの等が開発されている。
【特許文献１】特開平７−２３２４８８号公報
【発明の開示】
【発明が解決しようとする課題】
【０００３】
しかしながら、かかる特許文献１の構造は、トレーが、台紙の本体部分に連続する後壁部と、この後壁部に連設される底壁部及び前壁部と、前壁部の左右の側縁に連設される側壁部とを具備し、これらを折り曲げた後、側壁部に設けた差込片を後壁部に設けたスリットに差し込むか、或いは側壁部に設けた貼り付けしろを後壁部に接着するか、何れかの態様で組み立てを行うようにしている。このため、前者においては側壁部が後壁部から外れ易いという問題があり、後者においてはユーザーに接着作業を強いるのは好ましくなく、工場出荷段階で接着を行う場合は工程が増えるという不都合が拭えない。
【０００４】
本発明は、このような課題に着目してなされたものであって、簡易に市場に供することができ、ユーザーサイドでも簡単に組み立ててペン等を的確に保持させるトレーを構成できるようにした壁掛けカレンダーを提供することを目的としている。
【課題を解決するための手段】
【０００５】
本発明は、上記の目的を達成するために、次のような手段を講じたものである。
【０００６】
すなわち、本発明の壁掛けカレンダーは、紙素材からなり壁に掛け止めされる台紙と、この台紙の本体部分に設けられるカレンダー部とを具備し、カレンダー部の下方位置に、台紙の一部を利用してトレーを形成したものである。そして、前記トレーが、台紙の本体部分に連続する後壁部と、この後壁部の一部に設定した略鉛直な折罫に沿って折り曲げて形成される左右の側壁部とを具備し、前記後壁部に底壁部及び前壁部を連設して、当該底壁部及び前壁部を前記側壁部に支持させることにより、左右の側壁部、前壁部、後壁部及び底壁部によって包囲される部位に上方に開放された収納空間を形成していることを特徴とする。
【０００７】
このようなものであると、側壁部と後壁部とが略鉛直な折罫を介して相互に一体をなすので、この側壁部に底壁部及び前壁部を支持させれば、側壁部が後壁部に対して分離している構造に比してトレーの強度を確実に向上させることができ、この部位における接着作業等も不要にすることができる。
【０００８】
より確実な強度確保のためには、前壁部を山折りに折り返すことにより外壁及び内壁からなる二重構造として、その隙間に、側壁部の前端に略鉛直な折罫に沿って折り曲げて連設した前係止片を挿入していることが望ましい。
【０００９】
このような構造を簡単、確実に維持するためには、前壁部の外壁と底壁部との境界部若しくはその近傍にスリットを設け、前壁部の内壁の下端側に形成した差込片を前記スリットに差し込んでおくことが望ましい。
【００１０】
このような構成を簡易に実現するためには、前壁部の内壁の下端に底当接片を折り曲げて連設し、この底当接片を底壁部に重合させるようにした上で、差込片を内壁と底当接片との境界部若しくはその近傍から切り起こして形成することが望ましい。
【００１１】
側壁部が後壁部から簡単にちぎれないようにするためには、側壁部の上縁が、後上方に向かって傾斜していることが好ましい。
【００１２】
本発明は、以上のような構成であるから、トレーを接着剤やステープル等の止着具を用いることなく組立てても十分に耐用し得ることとなる。
【発明の効果】
【００１３】
本発明によれば、比較的薄肉な紙素材を用いて構成でき、扁平に折り畳んだ状態で簡易に市場に供することができ、ユーザーサイドで簡単に組み立ててペン等を的確に保持するトレーを構成できるようにした壁掛けカレンダーを提供することが可能となる。
【発明を実施するための最良の形態】
【００１４】
以下、本発明の一実施形態を、図面を参照して説明する。
【００１５】
この実施形態の壁掛けカレンダーＷは、図１に示すように、ボール紙等の紙素材からなり壁に掛け止めされる台紙Ｗ１と、この台紙Ｗ１の本体部分２に設けられるカレンダー部Ｗ２とを具備してなり、カレンダー部Ｗ２の下方位置に、台紙Ｗ１の一部を利用してトレー１を形成したものである。
【００１６】
カレンダー部Ｗ２は、カレンダーの内容を直接書き込んだものであってもよいが、図示のように別異のカレンダー用紙３を貼着することにより形成する方が汎用性や印刷等の点から有利である。カレンダー用紙３は月が替わる度に貼り替える形態のものを排除するものではないが、通常の月次カレンダーや日次カレンダー等は月めくり、日めくりの形態をなしているため、そのようなものはカレンダー用紙３の上端側を貼着するようにする。
【００１７】
台紙Ｗ１は、図２に示す展開状態において、矩形状の本体部分２の下縁に後壁部１１を連続させ、この後壁部１１の更に下縁側に順次折罫ｂ、ｃ、ｄ、ｅを介して底壁部１２、前壁部１３の外壁１３ａ、前壁部１３の内壁１３ｂ及び底当接片１４を連続させている。また、後壁部１１の左右の側縁に、使用状態で略鉛直に配される折罫ｆ、ｇを介して側壁部１５を連続させ、この側壁部１５の更に外縁側及び下縁側に折罫ｈ、ｉ、ｊ、ｋを介してそれぞれ前係止片１６及び底当接片１７を連続させている。底壁部１２の前縁側であって折罫ｃに隣接する左右２箇所には幅方向に延びるスリット１２ａが対をなして設けてあり、前壁部１３の内壁１３ｂの下端位置には、底当接片１４から切り起こされる一対の差込片１３ｃが前記スリット１２ａに対応させて突出させて設けてある。
【００１８】
工場出荷段階においては、折罫ｆ、ｇにおいて側壁部１５を前係止片１６及び当接片１７とともに台紙Ｗ１に対して略１８０°山折りし、その状態で台紙Ｗ１の本体部分２の下縁と後壁部１１との境界に設けた折罫ａにおいて本体以外の部分を本体部分２に対して略１８０°山折りする。図４はこのようにして折り畳んだ状態を背面から見た図である。この段階で、本体部分２にはカレンダー用紙３が貼着してある。
【００１９】
そして、組み立て時には、図２及び、後方から透視した図３に示すように、側壁部１５を折罫ｆ、ｇにおいて後壁部１１に対し略９０°谷折りし、前係止片１６及び底当接片１７を折罫ｈ、ｉ、ｊ、ｋにおいて側壁部１５に対し略９０°谷折りするとともに、底壁部１２を折罫ｂにおいて後壁部１１に対し略９０°谷折りし、前壁部１３の外壁１３ａを折罫ｃにおいて底壁部１２に対し略９０°谷折りする。さらに、側壁部１５の前係止片１６を内側に内包するようにして前壁部１３の内壁１３ｂを折罫ｄにおいて外壁１３ａに対し略１８０°山折りするとともに、底当接片１４を折罫ｅにおいて前壁部１３の内壁１３ｂに対し略９０°谷折りする。
【００２０】
このようにして組み立てられたトレー１は、左右の側壁部１５、前壁部１３、後壁部１１及び底壁部１２によって包囲される部位に上方に開放された収納空間１Ａを形成する。この状態において、前壁部１３の内壁１３ｂと底当接片１４との境界若しくはその近傍に設けられた差込片１３ｃはスリット１２ａに挿入されて、側壁部１５の前係止片１６は前壁部１３の外壁１３ａと内壁１３ｂの間に挟み込まれ、前壁部１３の内壁１３ｂに連続する底当接片１４及び側壁部１５に連続する底当接片１７はそれぞれ互いに干渉することなく底壁部１２の上面に重合する。底当接片１４はこのために前壁部１３の内壁１３ｂよりも幅狭に設けてある。側壁部１５の上縁は、組み立て状態で前壁部１３の上縁から後壁部１１に向けて後上方に傾斜するように予め形成されている。
【００２１】
このトレー１の収納空間１Ａには、図４のようにペンＰやメモ用紙等のほか、カッター、定規その他の適宜の文具を収容することができる。この実施形態においてペンＰには、鉛筆、シャープペン、ボールペン、サインペン、万年筆等のほか、マーカーその他の筆記具も含まれる。
【００２２】
以上のようにして、本実施形態の壁掛けカレンダーＷは、紙素材からなり壁に掛け止めされる台紙Ｗ１と、この台紙Ｗ１の本体部分２に設けられるカレンダー部Ｗ２とを具備してなり、カレンダー部Ｗ２の下方位置に、台紙Ｗ１の一部を利用してトレー１を形成したものである。そして、前記トレー１を、台紙Ｗ１の本体部分２に連続する後壁部１１と、この後壁部１１の一部に設定した略鉛直な折罫ｆ、ｇに沿って折り曲げて形成される左右の側壁部１５とを具備するものとし、かつ前記後壁部１１に底壁部１２及び前壁部１３を連設して、当該底壁部１２及び前壁部１３を前記側壁部１５に支持させることにより、左右の側壁部１５、前壁部１３、後壁部１１及び底壁部１２によって包囲される部位に上方に開放された収納空間１Ａを形成したものである。
【００２３】
このようなものであると、側壁部１５と後壁部１１とが略鉛直な折罫ｆ、ｇを介して相互に一体をなすので、この側壁部１５に底壁部１２及び前壁部１３を支持させれば、側壁部が後壁部に対して分離している構造に比して、折罫ｆ、ｇ部分がちぎれない限り側壁部１５が後壁部１１から離反し得ないものとなり、トレー１の強度を確実に向上させることができる。しかも、側壁部１５と後壁部１１との接着作業等も一切必要としないものである。
【００２４】
特にこの実施形態は、前壁部１３を山折りに折り返すことにより外壁１３ａ及び内壁１３ｂからなる二重構造として、その隙間に、側壁部１５の前端に略鉛直な折罫ｈ、ｉに沿って折り曲げて連設した前係止片１６を挿入しており、前壁部１３はその外壁１３ａ及び内壁１３ｂの間に前係止片１６を抱くように挟み込むので、前係止片１６を介して前壁部１３と側壁部１５との一体感を確実に高めることができる。
【００２５】
その際、前壁部１３の外壁１３ａと底壁部１２との境界部若しくはその近傍にスリット１２ａを設け、前壁部１３の内壁１３ｂの下端側に形成した差込片１３ｃを前記スリット１２ａに差し込むようにしているため、外壁１３ａと内壁１３ｂの間に前係止片１６を挟み込んだ状態を適切に維持して差込片１３ｃをスリット１２ａに挿入することができ、トレー１の組立て状態が緩むことを有効に回避することができる。
【００２６】
そして、本実施形態は、前壁部１３の内壁１３ｂの下端に底当接片１４を折り曲げて連設し、この底当接片１４を底壁部１２に重合させるようにしており、その際に差込片１３ｃを内壁１３ｂと底当接片１４との境界部若しくはその近傍から切り起こしているため、１枚の台紙Ｗ１から無理なく要素部品を作り出して上述した係止構造を簡易に実現することができる。
【００２７】
また、本実施形態の側壁部１５は、上縁を後上方に向かって傾斜させており、側壁部１５と後壁部１１の交叉角度を９０°よりも大きくなるようにしているので、応力が入り隅部に集中してそこから裂け始める等の不都合を極力回避して、トレー１の機能を担保することができる。
【００２８】
すなわち、本実施形態のトレー１は以上のような構成であるから、接着剤やステープル等の止着具を用いることなく組立てても十分に耐用し得るものである。
【００２９】
なお、各部の具体的構成は、上述した実施形態のみに限定されるものではなく、本発明の趣旨を逸脱しない範囲で種々変形が可能である
【図面の簡単な説明】
【００３０】
【図１】本発明の一実施形態に係る壁掛けカレンダーの斜視図。
【図２】同実施形態を構成する台紙の展開状態を示す平面図。
【図３】同実施形態を構成するトレーの組み立て状態を後方から透視して示す斜視図。
【図４】同実施形態の使用状態を示す斜視図。
【図５】同実施形態の工場出荷状態を背面図。
【符号の説明】
【００３１】
Ｗ…壁掛けカレンダー
Ｗ１…台紙
Ｗ２…カレンダー部
１…トレー
１１…後壁部
１２…底壁部
１２ａ…スリット
１３…前壁部
１３ａ…外壁
１３ｂ…内壁
１３ｃ…差込片
１４…底当接片
１５…側壁部
１６…前係止片
１Ａ…収納空間
２…本体部分
ｆ、ｇ、ｈ、ｉ…折罫
【図１】
2006001061.tif 000003
【図２】
2006001061.tif 000004
【図３】
2006001061.tif 000005
【図４】
2006001061.tif 000006
【図５】
2006001061.tif 000007